(57)【要約】【課題】  案内リングが顔に当たらずに撮影が可能な撮影補助具を提供する。【解決手段】  保定基板の口腔内に挿入される部分に設けられ、保定基板とのなす角度が変更可能な状態でＸ線撮像素子を有する受光部を保持する保持部を備える。撮影時には、第１案内部と第２案内部のいずれか一方が、受光部と対向するように保定基板に取り付けられ、第１案内部は、撮像面から第１距離だけ離れた位置にＸ線源が配置されるように位置決めするために使用される第１案内リングと、角度に関する情報に対応したＸ線装置の位置決め用目印を二以上含む第１位置決め部とを有し、第２案内部は、受光部の撮像面から第１距離よりも長い第２距離だけ離れた位置にＸ線源が配置されるようにＸ線装置を位置決めするために使用される第２案内リングと、角度に関する情報に対応したＸ線照射口の位置決め用目印を二以上含む第２位置決め部とを有する。【選択図】図３
2013150741.tif 000002
【特許請求の範囲】
【請求項１】
Ｘ線撮像素子を有する受光部と、
保定基板と、Ｘ線源を含むＸ線装置を使った撮影時に、前記保定基板の口腔内に挿入される部分に設けられ、前記保定基板とのなす角度が変更可能な状態で前記受光部を保持する保持部と、第１案内部と第２案内部を有する案内部とを有する撮影補助具とを備え、
前記撮影時には、前記第１案内部と前記第２案内部のいずれか一方が、前記受光部と対向するように前記保定基板に取り付けられ、
前記第１案内部は、前記受光部の撮像面から第１距離だけ離れた位置に前記Ｘ線源が配置されるように前記Ｘ線装置を位置決めするために使用される第１案内リングと、前記角度に関する情報に対応した前記Ｘ線装置のＸ線照射口の位置決め用目印を二以上含む第１位置決め部とを有し、
前記第２案内部は、前記受光部の撮像面から前記第１距離よりも長い第２距離だけ離れた位置に前記Ｘ線源が配置されるように前記Ｘ線装置を位置決めするために使用される第２案内リングと、前記角度に関する情報に対応した前記Ｘ線照射口の位置決め用目印を二以上含む第２位置決め部とを有し、
前記第２位置決め部に設けられる複数の位置決め用目印の間隔は、前記第１位置決め部に設けられる複数の位置決め用目印の間隔よりも長いことを特徴とする歯科用口腔内撮影システム。
【請求項２】
前記第１案内部は、前記第１案内リングと、前記第１位置決め部と、前記第１案内リングが取り付けられた第１保定基板接続部を有し、
前記第２案内部は、前記第２案内リングと、前記第２位置決め部と、前記第２案内リングが取り付けられた第２保定基板接続部と、延長部材を有し、
前記延長部材は、前記保定基板の口腔外に延出する部分をさらに延長するために使用され、
前記第２保定基板接続部は、前記延長部材の一方の端部に取り付けられ、
前記保定基板は、上から見て略Ｌ字形状を有し、前記口腔内に挿入されない部分には、前記第１保定基板接続部、若しくは、前記延長部材の他方の端部が着脱可能な状態で取り付けられることを特徴とする請求項１に記載の歯科用口腔内撮影システム。
【請求項３】
前記第１保定基板接続部は、左右両端に前記保定基板が着脱可能な状態で取り付け可能な係合部を有し、
前記第２保定基板接続部は、左右両端に前記延長部材が着脱可能な状態で取り付け可能な係合部を有することを特徴とする請求項２に記載の歯科用口腔内撮影システム。
【請求項４】
前記二以上の位置決め用目印のうち、前記角度に関する情報に対応する位置決め用目印に合わせて前記Ｘ線装置を設置した場合に、前記Ｘ線源から出射されるＸ線束の中心軸が、前記保定基板の測方から見て、前記受光部の撮像面を含む面と撮影対象歯牙の歯軸との二等分面に略垂直にすることが出来るように、前記二以上の位置決め用目印が前記第１位置決め部や前記第２位置決め部に設けられることを特徴とする請求項１に記載の歯科用口腔内撮影システム。
【請求項５】
前記保定基板は、前記角度に関する情報を表示する角度表示部を有し、
前記角度表示部は、前記受光部が口腔内に挿入された時に、前記角度に関する情報が口腔外に見える位置に設けられることを特徴とする請求項１に記載の歯科用口腔内撮影システム。
【請求項６】
前記第１案内リングや前記第２案内リングは、前記保持部がある側から見て縦長の略楕円形状または略Ｕ字形状を有することを特徴とする請求項１に記載の歯科用口腔内撮影システム。
【請求項７】
保定基板と、
Ｘ線源を含むＸ線装置を使った撮影時に、前記保定基板の口腔内に挿入される部分に設けられ、前記保定基板とのなす角度が変更可能な状態でＸ線撮像素子を有する受光部を保持する保持部と、
第１案内部と第２案内部を有する案内部とを備え、
前記撮影時には、前記第１案内部と前記第２案内部のいずれか一方が、前記受光部と対向するように前記保定基板に取り付けられ、
前記第１案内部は、前記受光部の撮像面から第１距離だけ離れた位置に前記Ｘ線源が配置されるように前記Ｘ線装置を位置決めするために使用される第１案内リングと、前記角度に関する情報に対応した前記Ｘ線装置のＸ線照射口の位置決め用目印を二以上含む第１位置決め部とを有し、
前記第２案内部は、前記受光部の撮像面から前記第１距離よりも長い第２距離だけ離れた位置に前記Ｘ線源が配置されるように前記Ｘ線装置を位置決めするために使用される第２案内リングと、前記角度に関する情報に対応した前記Ｘ線照射口の位置決め用目印を二以上含む第２位置決め部とを有し、
前記第２位置決め部に設けられる複数の位置決め用目印の間隔は、前記第１位置決め部に設けられる複数の位置決め用目印の間隔よりも長いことを特徴とする歯科用口腔内撮影システムにおける撮影補助具。
【発明の詳細な説明】
【技術分野】
【０００１】
本発明は、歯科用口腔内撮影システムに関する。
【背景技術】
【０００２】
特許文献１のように、Ｘ線装置を使った歯牙の撮影において使用される撮影補助具（インジケータ）が提案されている。
【先行技術文献】
【特許文献】
【０００３】
【特許文献１】特開２００６−４２８５２号公報
【発明の概要】
【発明が解決しようとする課題】
【０００４】
案内リングが複数の位置に取り付け可能な撮影補助具であるが、いずれの位置においても撮像面とＸ線装置との距離は殆ど変化しない。案内リングと撮像面との間には被験者の顔が位置するため、撮影位置や顔の形状や大きさによっては、案内リングが顔に当たって干渉する可能性がある。
【０００５】
したがって本発明の目的は、案内リングが顔に当たらずに撮影が可能な撮影補助具やかかる撮影補助具を含む歯科用口腔内撮影システムを提供することである。
【課題を解決するための手段】
【０００６】
本発明に係る歯科用口腔内撮影システムは、Ｘ線撮像素子を有する受光部と、保定基板と、Ｘ線源を含むＸ線装置を使った撮影時に、保定基板の口腔内に挿入される部分に設けられ、保定基板とのなす角度が変更可能な状態で受光部を保持する保持部と、第１案内部と第２案内部を有する案内部とを有する撮影補助具とを備え、撮影時には、第１案内部と第２案内部のいずれか一方が、受光部と対向するように保定基板に取り付けられ、第１案内部は、受光部の撮像面から第１距離だけ離れた位置にＸ線源が配置されるようにＸ線装置を位置決めするために使用される第１案内リングと、角度に関する情報に対応したＸ線装置のＸ線照射口の位置決め用目印を二以上含む第１位置決め部とを有し、第２案内部は、受光部の撮像面から第１距離よりも長い第２距離だけ離れた位置にＸ線源が配置されるようにＸ線装置を位置決めするために使用される第２案内リングと、角度に関する情報に対応したＸ線照射口の位置決め用目印を二以上含む第２位置決め部とを有し、第２位置決め部に設けられる複数の位置決め用目印の間隔は、第１位置決め部に設けられる複数の位置決め用目印の間隔よりも長い。
【０００７】
第２案内部を保定基板に取り付けた場合における第２案内リングと保持部に取り付けられた受光部との距離は、第１案内部を保定基板に取り付けた場合における第１案内リングと保持部に取り付けられた受光部との距離よりも長くなる。
【０００８】
第１案内部を保定基板に取り付けた場合における案内リング（第１案内リング）と保持部に取り付けられた受光部との距離は、長くないため、被験者の顔の形状などによっては、保持部に取り付けられた受光部を被験者の口腔内に挿入した時に、第１案内部が被験者の顔などに当たって干渉することが考えられる。
【０００９】
かかる場合には、第１案内部に代えて第２案内部を保定基板に取り付けることで、案内リング（第２案内リング）と保持部に取り付けられた受光部との距離を長くして、第２案内部が被験者の顔などに当たって干渉することを防止することが可能になる。
【００１０】
好ましくは、第１案内部は、第１案内リングと、第１位置決め部と、第１案内リングが取り付けられた第１保定基板接続部を有し、第２案内部は、第２案内リングと、第２位置決め部と、第２案内リングが取り付けられた第２保定基板接続部と、延長部材を有し、延長部材は、保定基板の口腔外に延出する部分をさらに延長するために使用され、第２保定基板接続部は、延長部材の一方の端部に取り付けられ、保定基板は、上から見て略Ｌ字形状を有し、口腔内に挿入されない部分には、第１保定基板接続部、若しくは、延長部材の他方の端部が着脱可能な状態で取り付けられる。
【００１１】
さらに好ましくは、第１保定基板接続部は、左右両端に保定基板が着脱可能な状態で取り付け可能な係合部を有し、第２保定基板接続部は、左右両端に延長部材が着脱可能な状態で取り付け可能な係合部を有する。
【００１２】
右上や左下の歯牙を撮影する場合でも左上や右下の歯牙を撮影する場合でも共通の部材を流用することが出来、左上や右下の歯牙用の保定基板や、右上や左下の歯牙用の保定基板のいずれにも取り付けが可能である。
【００１３】
また、好ましくは、二以上の位置決め用目印のうち、角度に関する情報に対応する位置決め用目印に合わせてＸ線装置を設置した場合に、Ｘ線源から出射されるＸ線束の中心軸が、保定基板の測方から見て、受光部の撮像面を含む面と撮影対象歯牙の歯軸との二等分面に略垂直にすることが出来るように、二以上の位置決め用目印が第１位置決め部や第２位置決め部に設けられる。
【００１４】
二等分面撮影法により、実長に近い状態で撮影対象歯牙のＸ線画像を得ることが可能になる。
【００１５】
また、好ましくは、保定基板は、角度に関する情報を表示する角度表示部を有し、角度表示部は、受光部が口腔内に挿入された時に、角度に関する情報が口腔外に見える位置に設けられる。
【００１６】
口腔内に挿入されて見えない保持部と保定基板とのなす角度に関する情報を読み取ることが可能になり、第１案内部の第１位置決め部（若しくは、第２案内部の第２位置決め部）におけるＸ線装置の位置合わせに使用される。
【００１７】
また、好ましくは、第１案内リングや第２案内リングは、保持部がある側から見て縦長の略楕円形状または略Ｕ字形状を有する。
【００１８】
本発明に係る歯科用口腔内撮影システムにおける撮影補助具は、保定基板と、Ｘ線源を含むＸ線装置を使った撮影時に、保定基板の口腔内に挿入される部分に設けられ、保定基板とのなす角度が変更可能な状態でＸ線撮像素子を有する受光部を保持する保持部と、第１案内部と第２案内部を有する案内部とを備え、撮影時には、第１案内部と第２案内部のいずれか一方が、受光部と対向するように保定基板に取り付けられ、第１案内部は、受光部の撮像面から第１距離だけ離れた位置にＸ線源が配置されるようにＸ線装置を位置決めするために使用される第１案内リングと、角度に関する情報に対応したＸ線装置のＸ線照射口の位置決め用目印を二以上含む第１位置決め部とを有し、第２案内部は、受光部の撮像面から第１距離よりも長い第２距離だけ離れた位置にＸ線源が配置されるようにＸ線装置を位置決めするために使用される第２案内リングと、角度に関する情報に対応したＸ線照射口の位置決め用目印を二以上含む第２位置決め部とを有し、第２位置決め部に設けられる複数の位置決め用目印の間隔は、第１位置決め部に設けられる複数の位置決め用目印の間隔よりも長い。
【発明の効果】
【００１９】
以上のように本発明によれば、案内リングが顔に当たらずに撮影が可能な撮影補助具やかかる撮影補助具を含む歯科用口腔内撮影システムを提供することができる。
【図面の簡単な説明】
【００２０】
【図１】本実施形態における第１案内部を使用した場合で、撮影部を取り付ける前の歯科用口腔内撮影システムの背面から見た斜視図である。
【図２】第２案内部を使用した場合で、撮影部を取り付ける前の歯科用口腔内撮影システムの背面から見た斜視図である。
【図３】左上や右下の歯牙を撮影するための保定基板を含む撮影補助具を背面から見た斜視図である。
【図４】右上や左下の歯牙を撮影するための保定基板を含む撮影補助具を背面から見た斜視図である。
【図５】第１案内部を使用した場合で、撮影部を取り付けた後の歯科用口腔内撮影システムの背面から見た斜視図である。
【図６】第２案内部を使用した場合で、撮影部を取り付けた後の歯科用口腔内撮影システムの背面から見た斜視図である。
【図７】撮影部、第１案内部を含む撮影補助具、及びＸ線装置の構成を示す側面図である。
【図８】撮影部、第２案内部を含む撮影補助具、及びＸ線装置の構成を示す側面図である。
【図９】撮影部、第１案内部を含む撮影補助具、及びＸ線装置の構成を示す上面図である。
【図１０】撮影部、第２案内部を含む撮影補助具、及びＸ線装置の構成を示す上面図である。
【図１１】第２案内部を使用した場合で、防水カバーを取り付けた歯科用口腔内撮影システムの背面から見た斜視図である。
【図１２】左上や右下の歯牙を撮影するための保定基板を含む撮影補助具で案内リングが略Ｕ字形状を有するものを背面から見た斜視図である。
【発明を実施するための形態】
【００２１】
以下、本実施形態における歯科用口腔内撮影システムの構成について、図を用いて説明する。本実施形態に係る歯科用口腔内撮影システム１は、撮影部１０、撮影補助具（インジケータ）５０を備える（図１、図２参照）。
【００２２】
撮影部１０の詳細について説明する。撮影部１０は、受光部１１、ケーブル１７、腕部１８、グリップ１９を有する。
【００２３】
受光部１１は、Ｘ線受光部を内蔵する板状部材である前面部１１ａと、腕部１８のボール１８ａを回転自在な状態で保持する背面部１１ｂを有する。
【００２４】
背面部１１ｂは、前面部１１ａの背面側の一部（又は全部）が背面方向に突出する形状を有し、横方向（Ｘ線受光部に含まれるＸ線撮像素子の撮像面の法線に垂直な左右方向）の寸法が、前面部１１ａよりも短く、後述する保持部５１に挟まれる。
【００２５】
背面部１１ｂの背面側（若しくは底面側）には、後述する腕部１８のボール１８ａを受ける受け皿が設けられる。
【００２６】
ケーブル１７は、前面部１１ａに設けられたＸ線受光部への電力供給や信号送受信するための電気線であり、後述するグリップ１９と接続される。図１〜図１１に示される形態では、ケーブル１７が、前面部１１ａで、受光部１１と接続される形態を示すが、背面部１１ｂで、受光部１１と接続される形態であってもよい。
【００２７】
前面部１１ａのＸ線受光部は、Ｘ線を可視光に変換するシンチレータ、該可視光を電荷に変換するＣＣＤなどのＸ線撮像素子を有する。
【００２８】
Ｘ線撮像素子と直接接続される電気線がフレキシブル基板上に設けられている場合には、背面部１１ｂの内部に、フレキシブル基板とケーブル１７とを接続するための基板を設けても良い。
【００２９】
また、前面部１１ａのＸ線撮像素子を駆動するための電気回路を、受光部１１の内部に設ける形態であってもよい。但し、Ｘ線撮像素子を駆動するための電気回路を構成する部材は、後述するグリップ１９や、さらに後段の画像処理装置などに配置される形態であってもよい。
【００３０】
また、Ｘ線受光部からの信号送受信を、ケーブル１７を介して行う形態に代えて、無線で行う形態であってもよい。この場合には、受光部１１の内部に、無線通信を行う装置や、かかる装置やＸ線撮像素子を駆動するバッテリーを内蔵する。
【００３１】
腕部１８は、ボール１８ａ、第１腕部１８ｂ１、第２腕部１８ｂ２、接続部１８ｃを有する。
【００３２】
第１腕部１８ｂ１は、一方の端部がボール１８ａに固定され、他方の端部が接続部１８ｃと接続される棒状部材である。第１腕部１８ｂ１と、背面部１１ｂとのなす角度は、ボールジョイントを構成するボール１８ａと背面部１１ｂに設けられた受け皿とを介して、自在に変更出来る。
【００３３】
第２腕部１８ｂ２は、一方の端部が接続部１８ｃと接続され、他方の端部がグリップ１９に固定される棒状部材である。接続部１８ｃは、第１腕部１８ｂ１と第２腕部１８ｂ２とのなす角度を自在に変更出来、且つその角度を固定出来る状態で、これらを保持する。
【００３４】
第１腕部１８ｂ１、第２腕部１８ｂ２の位置関係を変化させることにより、グリップ１９を持った状態で、前面部１１ａのＸ線撮像素子の撮像面の法線の方向を自在に変化させることが可能になる。すなわち、使用者（術者若しくは被験者）がグリップ１９を把持することにより、第１腕部１８ｂ１とＸ線撮像素子の撮像面とのなす角が調整可能な状態で、受光部１１が保持される。なお、ケーブル１７は、紐状部材で、第２腕部１８ｂ２等にくくりつける形態や、第２腕部１８ｂ２の内部を通る形態であってもよい。
【００３５】
なお、本実施形態では、二本の棒状部材（第１腕部１８ｂ１と第２腕部１８ｂ２）を使って、受光部１１などを保持する方向を調整する形態を説明するが、棒状部材の数はこれに限られるものではない。
【００３６】
グリップ１９は、ケーブル１７や腕部１８を介して、受光部１１と接続される。グリップ１９の内部には、Ｘ線撮像素子に電力を供給するバッテリーやＸ線撮像素子を制御する制御部やＸ線撮像素子で得られた画像信号に画像処理を施す画像処理装置を内蔵する形態であってもよいし、グリップ１９から、外部の画像処理装置（例えばパソコン）に、有線か無線で画像信号を伝達する形態であってもよい。
【００３７】
グリップ１９は、被験者が保持する形態であってもよいし、歯科医などの術者が把持する形態であってもよいため、被験者が咬合をうまく行えない場合でも、Ｘ線撮像素子等を口腔内に維持することが可能になる。また、グリップ１９の把持により、歯科用口腔内撮影システム１のグリップ１９以外の部材（受光部１１や受光部１１を保持する撮影補助具５０）が保持されるため、咬合により保持される形態に比べて、保定基板５５等の重量が大きくなっても保持が容易に行えるメリットを有する。
【００３８】
また、グリップ１９は、保定基板５５や受光部１１に比べて大きさの制限が緩く、内部にバッテリーなどの電気部品を内蔵させるスペースを確保しやすい。また、グリップ１９の内部に電気部品を出来るだけ集めることで、歯科用口腔内撮影システム１のグリップ１９以外の部材（受光部１１や撮影補助具５０）を軽くすることが可能になり、グリップ１９を把持した時に、安定した状態で、歯科用口腔内撮影システム１のグリップ１９以外の部材（受光部１１や撮影補助具５０）を保持することが可能になる。
【００３９】
次に、撮影補助具５０の詳細について説明する。撮影補助具５０は、保持部５１、回転軸５３、保定基板５５、角度表示部５７、案内部５９（第１案内部５９ａ、第２案内部５９ｂ）を有する。
【００４０】
保持部５１は、左右の棒状部材と、当該棒状部材を互いに近づく方向に付勢するバネなどの付勢部材（不図示）を有し、受光部１１の背面部１１ｂを挟んだ状態で固定する。付勢部材に代えて、ネジなどで固定する形態であってもよい。挟み込んだ状態を解除すれば、保持部５１による受光部１１の保持状態を解除出来る。すなわち、保持部５１による挟み込み機構により、受光部１１の着脱が容易に行える。
【００４１】
保持部５１が受光部１１を保持した状態で、回転軸５３を中心に回転した時に、保持部５１や受光部１１が保定基板５５と干渉しないように、これらの部材の寸法が決定される。
【００４２】
回転軸５３は、一方の端部で保持部５１と接続され、他方の端部で角度表示部５７と接続され、保持部５１の回転軸５３を中心とした回転運動は、回転軸５３を介して角度表示部５７に伝達され、角度表示部５７を回転させる。同様に、角度表示部５７の回転軸５３を中心とした回転運動は、回転軸５３を介して保持部５１に伝達され、保持部５１を回転させる。なお、保持部５１の前面側（受光部１１の前面部１１ａが取り付けられる側）が、保定基板５５の上面に近づくような付勢力が与えられるように、回転軸５３にバネなどの付勢部材が設けられてもよい。
【００４３】
保定基板５５は、上から見てＬ字形状を有する部材で、奥歯の撮影用に使用される。前歯の撮影用に、直線形状を有する形態であってもよい（不図示）。保持部５１は、Ｘ線源ＬＳを含むＸ線装置７０を使った撮影時に、保定基板５５の口腔内に挿入される部分に設けられ、保定基板５５とのなす角度θが変更可能な状態で受光部１１を保持する。
【００４４】
角度表示部５７は、保持部５１が口腔内に挿入された時にも口腔外から見えるように、保定基板５５の口腔内に挿入されない部分に取り付けられ、円柱形状を有しており、該円柱形状の筒状部分（側面）や天面には、保持部５１と保定基板５５とのなす角度θ（図７、図８参照）に関連する情報として、複数の目印線を含む目盛りが付されている。
【００４５】
角度表示部５７の目盛りと保定基板５５との位置関係に基づいて、すなわち、基準位置（例えば、保定基板５５の上面）と最も近い目印線に基づいて、口腔内に挿入されて見えない保持部５１と保定基板５５とのなす角度θに関する情報を読み取ることが可能になり、第１案内部５９ａの第１位置決め部５９ａ３（若しくは、第２案内部５９ｂの第２位置決め部５９ｂ３）におけるＸ線装置７０の位置合わせに使用される。
【００４６】
なお、リーマーを取り付けた状態では、撮影対象歯牙が保定基板５５に接触することが出来ないため、リーマーを避けるように、撮影時に撮影対象歯牙と対向する位置に切欠部（又は孔部）を設ける形態も考えられる。
【００４７】
Ｘ線装置７０を使った撮影時には、第１案内部５９ａと第２案内部５９ｂのいずれか一方が、受光部１１と対向するように保定基板５５に取り付けられる。
【００４８】
第１案内部５９ａは、第１保定基板接続部５９ａ１、第１案内リング５９ａ２、第１位置決め部５９ａ３を有する。第１案内部５９ａは、第１案内リング５９ａ２が受光部１１を保持する保持部５１と対向する位置になるように、保定基板５５に取り付けられ、Ｘ線撮影におけるＸ線装置７０の照射口の位置決めに使用される。
【００４９】
第１保定基板接続部５９ａ１は、Ｘ線装置７０を使った撮影時に保定基板５５の口腔内に挿入されない部分の端部に直接に着脱可能な状態で取り付けられる部材で、左右両端に保定基板５５の端部と係合するための形状（本実施形態では、半円型の切り欠き形状）を有する。
【００５０】
左上や右下の歯牙を撮影するための保定基板５５（背面から見て、正立状態の保持部５１の右（倒立状態の保持部５１の左）に保定基板５５が延びるもの）を使用する場合には、背面から見て第１保定基板接続部５９ａ１の右側の係合部が保定基板５５の端部に取り付けられる（図３参照）。
【００５１】
右上や左下の歯牙を撮影するための保定基板５５’（背面から見て、正立状態の保持部５１’の左（倒立状態の保持部５１’の右）に保定基板５５’が延びるもの）を使用する場合には、背面から見て第１保定基板接続部５９ａ１の左側の係合部が保定基板５５’の端部に取り付けられる（図４参照）。
【００５２】
なお、図４の右上や左下の歯牙を撮影するための保持部５１’、回転軸５３’、保定基板５５’、角度表示部５７’は、左上や右下の歯牙を撮影するための保持部５１、回転軸５３、保定基板５５、角度表示部５７と別形状を有する可能性があるが、撮影部１０や案内部５９は、右上や左下の歯牙を撮影する場合でも左上や右下の歯牙を撮影する場合でも共通の部材を流用することが出来る。
【００５３】
第１案内リング５９ａ２は、保持部５１側から見て縦長の略楕円形状（正立状態の上部が開口した略Ｕ字形状でも良い（図１２参照））を有し、第１保定基板接続部５９ａ１の間に取り付けられる。
【００５４】
第１案内リング５９ａ２は、保定基板５５の上方から見て、Ｘ線撮像素子の撮像面の中心を通り、撮像面に垂直な基準線ＬＰ上にあって、撮像面から第１距離（２００ｍｍ）だけ離れた位置にＸ線源ＬＳが配置されるように、Ｘ線源ＬＳを含むＸ線装置７０を位置決めするために使用される（図９参照）。
【００５５】
第１案内リング５９ａ２の側部には、第１位置決め部５９ａ３が設けられる。第１位置決め部５９ａ３には、角度表示部５７の目盛りの目印線に対応する情報（複数の位置決め用目印）が記載される。対応関係にある角度表示部５７の目盛りの目印線と、第１位置決め部５９ａ３の位置決め用目印とは同じ色（若しくは同じ記号や文字）で示されるのが望ましい。
【００５６】
角度表示部５７の目盛りにおける目印線のうち基準位置（例えば、保定基板５５の上面）に最も近いものに対応する位置決め用目印に合わせて設置したＸ線源ＬＳから出射されるＸ線束の中心軸ＬＸが、保定基板５５の側方から見て、受光部１１に内蔵されたＸ線撮像素子の撮像面を含む面と撮影対象歯牙の歯軸との二等分面に略垂直にすることが出来るように、複数の位置決め用目印が第１位置決め部５９ａ３に設けられる（図７参照）。
【００５７】
すなわち、二以上の位置決め用目印のうち、角度θに関する情報に対応する位置決め用目印に合わせてＸ線装置７０を設置した場合に、Ｘ線源ＬＳから出射されるＸ線束の中心軸ＬＸが、保定基板５５の測方から見て、受光部１１の撮像面を含む面と撮影対象歯牙の歯軸との二等分面に略垂直にすることが出来るように、二以上の位置決め用目印が第１位置決め部５９ａ３に設けられる。
【００５８】
角度θが小さい場合、すなわちＸ線撮像素子の撮像面が、保定基板５５の上面と平行に近い状態の場合には、保定基板５５から離れた位置決め用目印に対応する角度表示部５７の目盛りの目印線が基準位置に近くなる。
【００５９】
角度θが大きい場合、すなわちＸ線撮像素子の撮像面が、保定基板５５の上面と垂直に近い状態の場合には、保定基板５５に近い位置決め用目印に対応する角度表示部５７の目盛りの目印線が基準位置に近くなる。
【００６０】
第２案内部５９ｂは、第２保定基板接続部５９ｂ１、第２案内リング５９ｂ２、第２位置決め部５９ｂ３、延長部材５９ｂ４を有する。第２案内部５９ｂは、第２案内リング５９ｂ２が受光部１１を保持する保持部５１と対向する位置になるように、保定基板５５に取り付けられ、Ｘ線撮影におけるＸ線装置７０の照射口の位置決めに使用される。
【００６１】
第２保定基板接続部５９ｂ１は、Ｘ線装置７０を使った撮影時に保定基板５５の口腔内に挿入されない部分の端部に、延長部材５９ｂ４を介して、着脱可能な状態で取り付けられる部材で、左右両端に延長部材５９ｂ４の一方の端部と係合するための形状（本実施形態では、半円型の切り欠き形状）を有する。
【００６２】
延長部材５９ｂ４は、Ｘ線装置７０を使った撮影時に保定基板５５の口腔内に挿入されない部分の端部に直接に着脱可能な状態で取り付けられる部材で、他方の端部に保定基板５５の端部と係合するための形状（本実施形態では、半円型の切り欠き形状）を有し、保定基板５５の口腔外に延出する部分をさらに延長するために使用される。
【００６３】
左上や右下の歯牙を撮影するための保定基板５５（背面から見て、正立状態の保持部５１の右に保定基板５５が延びるもの）を使用する場合には、背面から見て第２保定基板接続部５９ｂ１の右側の係合部が延長部材５９ｂ４を介して保定基板５５の端部に取り付けられる（図３参照）。
【００６４】
右上や左下の歯牙を撮影するための保定基板５５’（背面から見て、正立状態の保持部５１’の左に保定基板５５’が延びるもの）を使用する場合には、背面から見て第２保定基板接続部５９ｂ１の左側の係合部が延長部材５９ｂ４を介して保定基板５５’の端部に取り付けられる（図４参照）。
【００６５】
第２案内リング５９ｂ２は、保持部５１側から見て縦長の略楕円形状（正立状態の上部が開口した略Ｕ字形状でも良い（図１２参照））を有し、第２保定基板接続部５９ｂ１の間に取り付けられる。第２案内リング５９ｂ２の略楕円形状は、横幅は第１案内リング５９ａ２の略楕円形状のものと略同じで、縦幅は第１案内リング５９ａ２の略楕円形状のものよりも長い。
【００６６】
第２案内リング５９ｂ２は、保定基板５５の上方から見て、Ｘ線撮像素子の撮像面の中心を通り、撮像面に垂直な基準線ＬＰ上にあって、撮像面から第２距離（２００ｍｍと延長部材５９ｂ４の長さとを合わせた長さ）だけ離れた位置にＸ線源ＬＳが配置されるように、Ｘ線源ＬＳを含むＸ線装置７０を位置決めするために使用される（図１０参照）。
【００６７】
第２案内リング５９ｂ２の側部には、第２位置決め部５９ｂ３が設けられる。第２位置決め部５９ｂ３には、角度表示部５７の目盛りの目印線に対応する情報（複数の位置決め用目印）が記載される。対応関係にある角度表示部５７の目盛りの目印線と、第２位置決め部５９ｂ３の位置決め用目印とは同じ色（若しくは同じ記号や文字）で示されるのが望ましい。
【００６８】
角度表示部５７の目盛りにおける目印線のうち基準位置（例えば、保定基板５５の上面）に最も近いものに対応する位置決め用目印に合わせて設置したＸ線源ＬＳから出射されるＸ線束の中心軸ＬＸが、保定基板５５の側方から見て、受光部１１に内蔵されたＸ線撮像素子の撮像面を含む面と撮影対象歯牙の歯軸との二等分面に略垂直にすることが出来るように、複数の位置決め用目印が第２位置決め部５９ｂ３に設けられる（図８参照）。
【００６９】
すなわち、二以上の位置決め用目印のうち、角度θに関する情報に対応する位置決め用目印に合わせてＸ線装置７０を設置した場合に、Ｘ線源ＬＳから出射されるＸ線束の中心軸ＬＸが、保定基板５５の測方から見て、受光部１１の撮像面を含む面と撮影対象歯牙の歯軸との二等分面に略垂直にすることが出来るように、二以上の位置決め用目印が第２位置決め部５９ｂ３に設けられる。
【００７０】
第２位置決め部５９ｂ３に設けられる複数の位置決め用目印の間隔は、第１位置決め部５９ａ３に設けられる複数の位置決め用目印の間隔よりも長い。
【００７１】
第２案内部５９ｂを保定基板５５に取り付けた場合における第２案内リング５９ｂ２と保持部５１に取り付けられた受光部１１との距離は、第１案内部５９ａを保定基板５５に取り付けた場合における第１案内リング５９ａ２と保持部５１に取り付けられた受光部１１との距離（約５０ｍｍ）よりも長くなる。
【００７２】
第１案内部５９ａを保定基板５５に取り付けた場合における案内リング（第１案内リング５９ａ２）と保持部５１に取り付けられた受光部１１との距離（約５０ｍｍ）は、長くないため、被験者の顔の形状などによっては、保持部５１に取り付けられた受光部１１を被験者の口腔内に挿入した時に、第１案内部５９ａが被験者の顔などに当たって干渉することが考えられる。
【００７３】
かかる場合には、第１案内部５９ａに代えて第２案内部５９ｂを保定基板５５に取り付けることで、案内リング（第２案内リング５９ｂ２）と保持部５１に取り付けられた受光部１１との距離を長くして、第２案内部５９ｂが被験者の顔などに当たって干渉することを防止することが可能になる。
【００７４】
第１案内部５９ａに延長部材５９ｂ４を取り付け、延長部材５９ｂ４を保定基板５５に取り付けることで、第１案内リング５９ａ２と受光部１１との距離を長くすることは可能であるが、第１位置決め部５９ａ３の情報は、第１案内部５９ａが延長部材５９ｂ４を介さずに保定基板５５に直接取り付けた場合に有効なものであり、延長部材５９ｂ４を介して保定基板５５に取り付けた場合には正しいものにならない。
【００７５】
なお、第２案内部５９ｂを保定基板５５に取り付けた場合には、第１案内部５９ａを保定基板５５に取り付けた場合に比べて、Ｘ線装置７０と被験者の距離が長いため、Ｘ線装置７０の照射量を、第１案内部５９ａを保定基板５５に取り付けた場合よりも多めに設定するのが望ましい（例えば、照射時間を長くするなど）。
【００７６】
また、干渉の問題が生じない場合であっても、第２案内部５９ｂを使って、Ｘ線装置７０と被験者の距離を長くして、被験者に照射するＸ線量を少なくするなど、他の用途に第２案内部５９ｂを使用してもよい。
【００７７】
Ｘ線装置７０は、１つのＸ線光源ＬＳから照射口を介してＸ線を照射する装置であり、Ｘ線画像を得る場合に使用される。Ｘ線装置７０の照射口は、Ｘ線源ＬＳから出射されるＸ線束の中心軸ＬＸに垂直な面を有する。
【００７８】
Ｘ線装置７０の照射口が、第１案内リング５９ａ２の所定の位置（基準位置に最も近い目盛りの目印線に対応した第１位置決め部５９ａ３の位置決め用目印に合わせた位置）、若しくは、第２案内リング５９ｂ２の所定の位置（基準位置に最も近い目盛りの目印線に対応した第２位置決め部５９ｂ３の位置決め用目印に合わせた位置）に設置された場合に、上方から見て、Ｘ線源ＬＳから出射されるＸ線束の中心軸ＬＸが、Ｘ線撮像素子の撮像面の中心を通るように、第１案内リング５９ａ２や第２案内リング５９ｂ２は、側方から見て略円弧形状を有し、上方から見て略直線形状を有する（図９、図１０参照）。
【００７９】
このため、保定基板５５の上方から見て、Ｘ線受光部の撮像面の中心を通り、撮像面に垂直な基準線ＬＰと、Ｘ線源ＬＳから出射されるＸ線束の中心軸ＬＸとが重なる位置関係で、Ｘ線装置７０の照射口は、第１案内リング５９ａ２や第２案内リング５９ｂ２の近傍に配置されることになる。
【００８０】
なお、側方から見て中心軸ＬＸと平行な直線状の指標をＸ線装置７０の側部に設け、かかる指標と第１位置決め部５９ａ３や第２位置決め部５９ｂ３の位置決め用目印とが一致させるようにすると、位置合わせが容易に行える。
【００８１】
Ｘ線装置７０を使った撮影時は、受光部１１などの撮影部１０の一部や、保持部５１などの撮影補助具５０の一部が、被験者の口腔内に挿入され、撮影対象歯牙の歯軸と保定基板５５とが垂直になるような状態で、受光部１１や、撮影補助具５０がグリップ１９によって保持される。このとき、角度表示部５７、案内部５９（第１案内部５９ａ若しくは第２案内部５９ｂ）は、口腔外に位置する。但し、撮影対象歯牙の歯軸と保定基板５５とのなす角度は垂直で無くても良い。
【００８２】
また、撮影時には、歯科用口腔内撮影システム１の被験者の口腔内に挿入される部分（保定基板５５の一部、受光部１１、ケーブル１７や腕部１８の一部）に、防水カバーが覆われるのが望ましい。第１腕部１８ｂ１やケーブル１７の受光部１１から露出した部分について、回転軸５３と略平行にすると、撮影時に歯科用口腔内撮影システム１の被験者の口腔内に挿入される部分（保定基板５５の一部、受光部１１、ケーブル１７や腕部１８の一部）を比較的単純な形状の１つの防水カバーで覆うことが出来る（図１１参照）。
【００８３】
次に、動作手順について説明する。受光部１１が保持部５１に取り付けられ、保定基板５５の一部や、受光部１１等が、防水カバーで覆われた状態で、歯科用口腔内撮影システム１の受光部１１を含む部分が、撮影対象歯牙を有する被験者の口腔内に挿入される。
【００８４】
口腔内に受光部１１などが挿入された状態で、保定基板５５に第１案内部５９ａを取り付けても、被験者の顔などと干渉しない場合には、第１案内部５９ａが保定基板５５に取り付けられ、干渉する場合には、第２案内部５９ｂが保定基板５５に取り付けられる。案内部５９を保定基板５５に取り付ける手順は、受光部１１などを口腔内に挿入する前に行っても良い。具体的には、保定基板５５における口腔内に挿入されない部分の端部に、第１保定基板接続部５９ａ１、若しくは、一方の端部に第２保定基板接続部５９ｂ１が取り付けられた延長部材５９ｂ４の他方の端部が着脱可能な状態で取り付けられる。
【００８５】
被験者の口腔内の形状や、歯科用口腔内撮影システム１が挿入された位置などに基づいて、口腔内における受光部１１と保定基板５５との位置関係が決定し、角度θが決定する。
【００８６】
歯科用口腔内撮影システム１の使用者は、角度表示部５７の目盛りを見て、基準位置に最も近い目印線を確認し、第１位置決め部５９ａ３や第２位置決め部５９ｂ３における当該目印線に対応する位置決め用目印に指標を合わせるようにして、Ｘ線装置７０の照射口を設置する。その後、Ｘ線装置７０によるＸ線の照射、カルテ番号の入力、電源の立ち上げなど、所定の操作を行うことにより、撮像動作が行われる。
【００８７】
撮像動作においては、Ｘ線撮像素子は、シンチレータで変換された可視光を撮像する。撮像動作で得られた画像信号は、グリップ１９に内蔵された画像処理装置（若しくは、グリップ１９と有線または無線で接続された外部の画像処理装置）で、Ｘ線画像を得るための画像処理が施される。
【００８８】
また、基準位置（例えば、保定基板５５の上面）に一番近い目印線に対応する第１位置決め部５９ａ３や第２位置決め部５９ｂ３の位置決め用目印に合わせて、Ｘ線装置７０の照射口を配置すれば、Ｘ線装置７０のＸ線源ＬＳから出射されるＸ線束の中心軸ＬＸが、側方から見て、受光部１１に内蔵されたＸ線受光部の撮像面を含む面と撮影対象歯牙の歯軸との二等分面に略垂直にすることが出来、二等分面撮影法により、実長に近い状態で撮影対象歯牙のＸ線画像を得ることが可能になる。
【００８９】
なお、本実施形態では、二等分面撮影法を考慮して、すなわち、Ｘ線束の中心軸ＬＸが、側方から見て、受光部１１に内蔵されたＸ線撮像素子の撮像面を含む面と撮影対象歯牙の歯軸との二等分面に略垂直になるように、案内リング（第１案内リング５９ａ２、第２案内リング５９ｂ２）の側部の形状や、位置決め部（第１位置決め部５９ａ３、第２位置決め部５９ｂ３）の位置決め用目印が決定される形態を説明したが、他の撮影法を考慮してこれらを決定する形態であってもよい。
【００９０】
例えば、Ｘ線束の中心軸ＬＸが、側方から見て、受光部１１に内蔵されたＸ線撮像素子の撮像面を含む面に略垂直になるように、第１案内リング５９ａ２や第２案内リング５９ｂ２の側部の形状や、第１位置決め部５９ａ３や第２位置決め部５９ｂ３の位置決め用目印が決定される形態であってもよい。
【００９１】
本実施形態では、Ｘ線撮像素子を含む受光部１１と、保定基板５５を含む撮影補助具５０が別体で構成され、受光部１１が、撮影補助具５０の保持部５１に取り付けられる。
【００９２】
受光部１１を保持部５１に取り付ける際に、Ｘ線撮像素子がある前面部１１ａから背面方向に突出した背面部１１ｂを、保持部５１で挟み込む。Ｘ線撮像素子がある部分を撮像面の法線に垂直な上下方向や左右方向で挟み込むと、かかる部分の実質的なサイズが大きくなってしまい、口蓋や撮影対象歯牙の周囲の歯牙との干渉で、適切な撮影位置を確保することが難しくなる問題があるが、本実施形態のように、かかる挟み込み機構によって、Ｘ線撮像素子がある部分の上下方向や左右方向のサイズが大きくなることは無いため、かかる問題は発生しない。
【００９３】
なお、受光部１１と、保持部５１を含む撮影補助具５０とを一体にする形態も考えられる。この場合には、左上や右下の歯牙用の撮影補助具と受光部とを一体にしたものと、右上や左下の歯牙用の撮影補助具と受光部とを一体にしたものの２種類の撮影装置を用意する必要があり、Ｘ線撮像素子のコストが他の部材に比べて高いため、２種類の撮影装置を用意するのはコスト的なデメリットが大きい。これに対して、本実施形態では、コストが高いＸ線撮像素子を含む撮影部１０は、１種類のものだけ用意すれば良いため、かかる問題は発生しない。
【００９４】
また、案内部５９が、第１保定基板接続部５９ａ１や第２保定基板接続部５９ｂ１の左右端部の係合部や、延長部材５９ｂ４の係合部を使って、保定基板５５と着脱可能であるため、左上や右下の歯牙用の保定基板５５や、右上や左下の歯牙用の保定基板５５’のいずれにも取り付けが可能である。
【００９５】
また、本実施形態では、受光部１１などの保持は、グリップ１９を把持することにより行われるため、受光部１１などの保持のために、保定基板５５を咬合する必要がなく、口を開けた状態を維持したまま、撮影が可能である。このため、背面部１１ｂの分だけ、受光部１１は奥行き方向に厚みが増えるが、撮影に支障を来す可能性は少ない。
【００９６】
なお、本実施形態では、撮像面の法線に垂直な左右方向で、受光部１１の背面方向に突出した部分（背面部１１ｂ）を挟み込む形態を説明したが、撮像面の法線に垂直な上下方向で、受光部１１の背面方向に突出した部分（背面部１１ｂ）を挟み込む形態であってもよい。
【符号の説明】
【００９７】
１  歯科用口腔内撮影システム
１０  撮影部
１１  受光部
１１ａ  前面部
１１ｂ  背面部
１７  ケーブル
１８  腕部
１８ａ  ボール
１８ｂ１  第１腕部
１８ｂ２  第２腕部
１８ｃ  接続部
１９  グリップ
５０  撮影補助具
５１  保持部
５３  回転軸
５５  保定基板
５７  角度表示部
５９  案内部
５９ａ  第１案内部
５９ａ１  第１保定基板接続部
５９ａ２  第１案内リング
５９ａ３  第１位置決め部
５９ｂ  第２案内部
５９ｂ１  第２保定基板接続部
５９ｂ２  第２案内リング
５９ｂ３  第２位置決め部
５９ｂ４  延長部材
７０  Ｘ線装置
ＬＸ  中心軸
ＬＰ  上方から見て、Ｘ線受光部の撮像面の中心を通り、撮像面に垂直な線
ＬＳ  Ｘ線源
【図１】
2013150741.tif 000003
【図２】
2013150741.tif 000004
【図３】
2013150741.tif 000005
【図４】
2013150741.tif 000006
【図５】
2013150741.tif 000007
【図６】
2013150741.tif 000008
【図７】
2013150741.tif 000009
【図８】
2013150741.tif 000010
【図９】
2013150741.tif 000011
【図１０】
2013150741.tif 000012
【図１１】
2013150741.tif 000013
【図１２】
2013150741.tif 000014